(57)【要約】【目的】埋め殺し部材を使用する必要がない地下構造物用受け枠支持装置を提供する。【構成】受け枠３０を基礎構造物側３２に締結するため基礎構造物側３２に植設するボルト１１と、このボルト軸に上方からかぶせるように内部が空所になっており、一部にボルト１１の雄ねじ部と螺合する雌ねじ部を有し、さらに螺合操作のための手段を有する本体１５と、本体１５の回転に対して空転することにより本体１５とともに上下動可能に本体１５に設けられ、かつまた受け枠内部又は外部の適当な箇所に引っ掛けて本体１５を持ち上げる掛止手段２６を有するアーム部２０とを有する地下構造物用受け枠支持装置。【選択図】        図１
2004270275.tif 000002
【特許請求の範囲】
【請求項１】
地下構造物の蓋体を受け支える受け枠の取り付け工事に際して、完了までの間受け枠を支持する、高さ調整可能な装置であって、受け枠を基礎構造物側に締結するため基礎構造物側に植設するボルトと、このボルト軸に上方からかぶせるように内部が空所になっており、一部にボルトの雄ねじ部と螺合する雌ねじ部を有し、さらに螺合操作のための手段を有する本体と、本体の回転に対して空転することにより本体とともに上下動可能に本体に設けられ、かつまた受け枠内部又は外部の適当な箇所に引っ掛けて本体を持ち上げる掛止手段を有するアーム部とを有することを特徴とする地下構造物用受け枠支持装置。
【請求項２】
アーム部は、本体に回転可能に取り付けた基部と、基部に前後動可能に取り付けた掛止部とから構成され、掛止部の先端に掛止手段としてフックを有している請求項１記載の地下構造物用受け枠支持装置。
【請求項３】
螺合操作のための手段は、本体上部に形成した穴に挿し込むハンドルか或いは本体上部に設けた契合部に掛けるスパナ類である請求項１記載の地下構造物用受け枠支持装置。
【発明の詳細な説明】
【０００１】
【発明の属する技術分野】
本発明は、地下構造物の蓋体を受け支える受け枠の取り付け工事に際して、完了までの間、受け枠を支持する高さ調整可能な装置に関するものである。
【０００２】
【従来の技術】
例えばマンホールの設置部と道路表面との間に段差があると、歩行者がつまずいたり通過車両が振動を受けたりすることがあるため、マンホール蓋表面と道路表面との高さや傾斜などを合せることが行われており、関連出願として、例えば特開平５−２２２７３９号のようなものが出願されている。同号の発明は、積上げブロックと蓋枠の基盤との間に円錐コイルバネを介在させ、蓋体の高さや角度の調整を行うことができるものであるが、このような方法ではコイルバネ等の部材がモルタル中に埋め殺しになるので、モルタルを流し込むときに流動を阻害し、充填に時間がかかったり、充填不足によるモルタル強度の不足を招く恐れがあった。
【０００３】
また道路高さが変わったときや、舗装打ち換え時に受け枠高さを再度調整する場合において、修正量が１〜２ｃｍ程度と微小なときには、予め用意された専用部品では対応できずワッシャ類をスぺーサとして転用することになるが、締結が強弱不揃いになりやすく、受け枠に変形を来たし、鉄蓋にがたつきを生じさせる原因となった。また、特にバネを使用する場合には、受け枠重量が釣り合わなければ伸び切ってしまい、或いは逆に伸ばすのに苦労するという問題が生じる。またバネがモルタルに埋設されるので、バネ先端に埋め殺しにする別部品が必要であり、施工が複雑なため現場で分かりにくく、熟練を要し、作業ミスを誘発する恐れがあった。
【０００４】
【発明が解決しようとする課題】
本発明は前記の点に着目してなされたもので、その課題は、埋め殺し部材を使用する必要がない地下構造物用受け枠支持装置を提供することである。また本発明の他の課題は、特に熟練を必要とせず、ミスのない施工を行えるようにすることである。
【０００５】
【課題を解決するための手段】
前記の課題を解決するため、本発明は、受け枠を基礎構造物側に締結するため基礎構造物側に植設するボルトと、このボルト軸に上方からかぶせるように内部が空所になっており、一部にボルトの雄ねじ部と螺合する雌ねじ部を有し、さらに螺合操作のための手段を有する本体と、本体の回転に対して空転することにより本体とともに上下動可能に本体に設けられ、かつまた受け枠内部又は外部の適当な箇所に引っ掛けて本体を持ち上げる掛止手段を有するアーム部とを有する地下構造物用受け枠支持装置を構成したものである。
【０００６】
本発明の受け枠支持装置は、地下構造物の蓋体を受け支える受け枠の取り付け工事に適用されるもので、工事完了までの間、受け枠を支持するとともに、支持高さを調整可能なものである。受け枠は、斜壁や調整リングなどと呼ばれる中間部材を介して設置されるが、こうした受け枠の土台となるものを本発明では基礎構造物と称している。
【０００７】
本発明では、受け枠を基礎構造物側に締結するために、基礎構造物側にボルトを植設する。ボルトは全体に雄ねじを有する部材であり、受け枠のフランジのアンカー穴に配置されるようにして設けられる。基礎構造物に調整リング等を使用する場合、調整リング等にはインサートナットが予め設けてあるので、そこに螺じ入れることによって植設することができる。
【０００８】
ボルトには、本体部材が取り付けられる。本体は、ボルト軸に、上方からかぶせるようにするため、内部が空所になっていることが必要であり、内部が空所であるためボルト軸が進入可能であり、本体も昇降可能なものとなる。本体の下部には、ボルトの雄ねじ部と螺合する雌ねじ部がある。また本体は、螺合操作のための手段を有する。螺合操作のための手段は、例えばハンドル及び取り付け部であり、或いはスパナ及びスパナ掛け部などであって、ねじ回しのための回転トルクを得る手段である。
【０００９】
本体には、掛止手段を有するアーム部が設けられる。アーム部は本体の回転に対して空転することにより、本体とともに上下動可能に本体に設けられている。またアーム部には、受け枠の内部又は外部の適当な箇所に引っ掛けて、本体を持ち上げるための掛止手段となるものが備わっている。アーム部と掛止手段とは一体構造でも良いし、また調整の機能を含む組み合わせ構造であっても良い。受け枠に引っ掛けるべき箇所は、モルタル打設の妨げにならない箇所であればどこでも良く、最も望ましいのは受け枠内部の内方突出部であるが、フランジ部に引っ掛けてもモルタルの流れとは殆ど無関係であるから、掛止手段を引っ掛ける対象として利用し得る。
【００１０】
【発明の実施の形態】
以下、図示の実施形態を参照して本発明をより詳細に説明する。図１は本発明の地下構造物用受け枠支持装置１０を示しており、全長に及ぶ雄ねじ部１２を有するボルト１１と、雄ねじ部１２と螺合する雌ねじ部１３を下端部に有し、螺合操作のための手段としてハンドル１４を有する本体１５を上部に継ぎ合わせた状態で示されている。
【００１１】
ボルト１１はねじ軸の形態を有し、下端部を基礎構造物側のインサートナットのような螺合相手部に螺じ入れて植設される。１６は上端の契合キー部を示す。本体１５は、ボルト１１を内部に収められる太さのパイプ状の形態を有し、下端部に前記雌ねじ部１３を有する、一方、上端部にもう一つの螺合操作のための手段として契合部１７を有している。ハンドル１４は本体上部の横穴１８に挿し込んで使用される。
【００１２】
本体中間部には、アーム部２０が本体１５の回転に対して空転するように設けられている。例示のアーム部２０は、本体１５に回転自由に軸承させた基部２１と、基部２１に前後動可能に組み合わせた掛止部２２とから成り、基部２１と掛止部２２とを組み合わせるねじ２３を通す、夫々のねじ穴２４、２５の一方を長穴として、掛止部２２と本体１５との間隔を調整する構造を有する。掛止部２２は、受け枠３０の内部の掛止箇所３１に引っ掛ける掛止手段としてフック２６を下端に有している。
【００１３】
なお、例示の基部２１は板材の両側を上に折り曲げたチャネル構造を有し、掛止部２２の基部上に重なる部分も基部２１の内側に入れ子状に納まるチャネル構造を有しているので、掛止部２２の前後動動作は安定してがたなく行われる。また、掛止部２２はフック２６を有する先端側２７において幅狭く形成されているが、これは受け枠の蝶番受け部で高さ調整を行えるように寸法を合わせたものである。また、アーム部基部２１は本体１５に溶接された上下２枚の丸ワッシャ２８によって取り付けられているが、雌ねじ部１３で構成された上下動螺合部と、フック２６の荷重点をずらしているため、螺合中の本体１５に曲げモーメントが発生し、回転抵抗を減少させる。
【００１４】
この受け枠支持装置１０は次のように適用される。図２は、受け枠３０が基礎構造物側３２の所定位置に配置され、インサートナット３３に下部にて螺合させたボルト１１に、本発明装置１０を取り付けるところを示す。このとき、ボルト高さは、受け枠３０の高さ調整を予定する高さに対して十分に高いものでなければないならないが、図示のものはこの調整高さとボルト寸法が好適な関係にある例を示す。
【００１５】
そこで、本発明装置１０の本体部分をボルト１１にかぶせるようにして雌ねじ部１３と雄ねじ部１２とを螺合させ、フック２６が受け枠３０の掛止箇所３１に引っ掛けられる位置まで下げ（図２）、前進していたアーム部２０の掛止部２２を後退させ、ねじ２３を締めるとともに、本体１５にハンドル１４を取り付ける（図３）。ハンドル１４を用いる代わりに、スパナなどの工具３４を契合部１７に掛けても良く、この例は図４に示されている。
【００１６】
本体１５は螺合操作によって上方へ移動して行くので、受け枠３０が目的の高さになったら回転を止める（図５）。この間の上方への移動によりフック２６を引っ掛けている受け枠３０はスムーズに持ち上げられ、基礎構造物側３２との間に、嵩上げの必要な空間３５が生じることになる。ここで、受け枠３０のフランジ部３６と基礎構造物側３２の内側と外側とに夫々型枠材３７、３８を当てがうことによって空間３５を閉じる型枠構造を設置し、その後当該空間３５にモルタル４０を流し込み硬化を待つ。モルタルの養生後、脱型したのが図７の状態である。なおモルタル４０が硬化した後は本発明装置１０も取り外すことができる。
【００１７】
図７から明らかなように、基礎構造物側３２と受け枠３１との間は完全にモルタル３５が満たしており、異物は、締結に必要なボルト１１だけであるから、モルタル充填の邪魔になることもなく、充填不足も起こらない。また本発明装置１０によれば、空間３５が狭い場合、つまり嵩上げ量が小さい場合にも異物の悪影響がないため施工可能であり、また容易である。
【００１８】
一度高さ調整を行った後で、再度高さ調整を行う必要が生じるケースもあり、その場合、ボルト１１にモルタルが付着していると螺合が不可能となり再施工は困難である。このような場合のために空間３５部のボルト１１を伸縮カバー４１により覆っておくことが有効である。また、フランジ３６より上側のボルト１１は、土砂埋め戻しや、アスファルト混合物の敷き均し時に、転圧機の直撃を受ける恐れがあるので、それを避けるためにボルト保護キャップ４２を付けておくと良い。
【００１９】
【発明の効果】
本発明は以上の如く構成されかつ作用するものであるから、受け枠に対してモルタル充填により嵩上げ等の施工を完了したあとでは、受け枠支持装置を撤去するので、埋め殺し部材として残らず、モルタル充填作業がしやすいとともに、充填不足の恐れがなく、取り扱いが容易であるので熟練者でなくてもミスのない施工が行え、また埋め殺される部材がないため資材の浪費をなくし、経費節減にも寄与する等顕著な効果を奏する。
【図面の簡単な説明】
【図１】本発明に係る地下構造物用受け枠支持装置の実施形態を示す斜視図。
【図２】（ａ）本発明の装置の取り付け時の断面図。
（ｂ）同じくフックを受け枠へ引っ掛ける状態を示す断面図。
【図３】（ａ）同じくフックを受け枠へ引っ掛けハンドルを取り付ける状態を示す断面図。
（ｂ）同上の平面図。
【図４】（ａ）スパナによる作業を示す断面図。
（ｂ）同上の平面図。
【図５】ハンドルを操作して受け枠を上方へ移動させた状態の断面図。
【図６】受け枠の内側及び外側に型枠材を取り付けた状態の断面図。
【図７】嵩上げ空間にモルタルを打設し工事を完了した状態の断面図。
【図８】本発明の装置による施工例を示す断面図。
【符号の説明】
１０  受け枠支持装置
１１  ボルト
１４  ハンドル
１５  本体
１７  契合部
２０  アーム部
２１  基部
２２  掛止部
２６  フック
３０  受け枠
３１  掛止箇所
３２  基礎構造物側
３４  スパナ
３５  空間
３７、３８  型枠材
４０  モルタル
【図１】
2004270275.tif 000003
【図２】
2004270275.tif 000004
【図３】
2004270275.tif 000005
【図４】
2004270275.tif 000006
【図５】
2004270275.tif 000007
【図６】
2004270275.tif 000008
【図７】
2004270275.tif 000009
【図８】
2004270275.tif 000010